(57)【特許請求の範囲】
【請求項１】
縦方向及び前記縦方向と交差する横方向と、肌当接側とその反対側の非肌当接側とを有し、前記非肌当接側に位置する液不透過性のベースシートと、前記ベースシートの内面に配置された吸液性コアと、前記肌当接側に位置して前記コアの少なくとも一部を覆う液透過性の表面部材とから構成され、前記表面部材が、前記コアから前記肌当接側へ隆起して前記横方向へ延びるとともに前記縦方向へ所与寸法離間して並ぶ複数条の凸部と、前記凸部の間で前記横方向へ延びる複数条の凹部とを有する使い捨ての体液処理物品において、
前記表面部材の前記凹部において、その厚み方向へ貫通して体液が通過可能な複数の開孔部が形成されており、前記開孔部が前記縦方向及び前記横方向へ所与寸法離間して並び、かつ、前記縦方向へ連なることなく該縦方向へ互い違いに並んでおり、
前記表面部材の前記凸部及び前記凹部において、それらを形成する親水性繊維からなる繊維集合物の前記非肌当接側の繊維密度が、前記肌当接側の繊維密度よりも高く、
前記開孔部の前記横方向における長さ寸法と、前記横方向において隣り合う前記開孔部どうしの離間寸法とがほぼ等しいことを特徴する前記物品。
【請求項２】
前記横方向へ並ぶ前記開孔部の個数が２〜１０個、前記縦方向へ並ぶ前記開孔部の個数が５〜２５個の範囲内にあり、前記開孔部の面積が１５〜６００ｍｍ２の範囲にある請求項１に記載の物品。
【発明の詳細な説明】
【技術分野】
【０００１】
本発明は、使い捨ておむつや生理用ナプキン、吸収性パッド等の使い捨ての体液処理物品に関する。
【背景技術】
【０００２】
特開平１１−３１８９７６号公報は、肌当接側に位置する液透過性表面シートと、肌非当接側に位置する液不透過性裏面シートと、それらシートの間に介在する吸液性コアとから構成され、縦方向に前胴周り域および後胴周り域と、それら胴周り域の間に位置する股下域とを備え、コアの上部に位置して横方向へ延びる複数条の凸部が縦方向へ所与寸法離間して並ぶ使い捨ておむつを開示している。
【０００３】
凸部は、吸収性素材とそれを被覆する前記表面シートとから形成され、おむつの略後半分に位置している。このおむつでは、それら凸部が軟便や水様便等の流動性排泄物に対する障壁を形成し、排泄物の縦方向への流動を防止することができる。
【発明の開示】
【発明が解決しようとする課題】
【０００４】
前記公報に開示のおむつは、流動性排泄物の横方向への流動を防止する手段を有さず、表面シート上を拡散した排泄物がおむつの両側縁部へ向かって流動することを防ぐことができない。このおむつでは、排泄物がコアの両側縁の外側に漏出してそこに滞留してしまう場合がある。
【０００５】
本発明の課題は、尿や軟便、水様便、経血等の体液の縦方向と横方向とへの流動を防止することができ、体液をコアに確実に吸収、保持させることができる使い捨ての体液処理物品を提供することにある。
【課題を解決するための手段】
【０００６】
前記課題を解決するための本発明の前提は、縦方向及び前記縦方向と交差する横方向と、肌当接側とその反対側の非肌当接側とを有し、前記非肌当接側に位置する液不透過性のベースシートと、前記ベースシートの内面に配置された吸液性コアと、前記肌当接側に位置して前記コアの少なくとも一部を覆う液透過性の表面部材とから構成され、前記表面部材が、前記コアから前記肌当接側へ隆起して前記横方向へ延びるとともに前記縦方向へ所与寸法離間して並ぶ複数条の凸部と、前記凸部の間で前記横方向へ延びる複数条の凹部とを有する使い捨ての体液処理物品である。
【０００７】
前記前提における本発明の特徴は、前記表面部材の前記凹部において、その厚み方向へ貫通して体液が通過可能な複数の開孔部が形成されており、前記開孔部が前記縦方向及び前記横方向へ所与寸法離間して並び、かつ、前記縦方向へ連なることなく該縦方向へ互い違いに並んでおり、前記表面部材の前記凸部及び前記凹部において、それらを形成する親水性繊維からなる繊維集合物の前記非肌当接側の繊維密度が、前記肌当接側の繊維密度よりも高く、前記開孔部の前記横方向における長さ寸法と、前記横方向において隣り合う前記開孔部どうしの離間寸法とがほぼ等しいことにある。
【０００８】
【０００９】
【００１０】
【００１１】
本発明の実施の態様の他の一例としては、前記横方向へ並ぶ前記開孔部の個数が２〜１０個、前記縦方向へ並ぶ前記開孔部の個数が５〜２５個の範囲内にあり、前記開孔部の面積が１５〜６００ｍｍ２の範囲にある。
【００１２】
【発明の効果】
【００１３】
本発明にかかる使い捨ての体液処理物品によれば、複数条の凸部が横方向に延び、隣り合う凸部の間を凹部が横方向に延びているので、これら凸部が軟便等の流動性排泄物に対する障壁となり、表面部材に形成された開孔部が排泄物の縦方向への流動を防止するとともに、表面部材を形成する繊維集合物の下部の繊維密度が、その上部の繊維密度よりも高いので、表面部材に吸収された体液が速やかに下方に流れてコアに吸収、保持され、排泄物が表面部材の外面に逆戻りすることはない。
【００１４】
表面部材の前記凹凸部のうちの少なくとも凹部において、その厚み方向へ貫通して体液が通過可能な多数の開孔部が形成されており、開孔部が縦方向及び横方向へ所与寸法離間して並んでいる実施の形態においては、体液が表面部材を透過するとともに開孔部を通過してコアに吸収、保持されるので、体液が表面部材の外面を拡散したとしても、体液が表面部材の周縁の外側へ漏出することはない。
【００１５】
表面部材において、前記表面部材において、前記凹凸部が前記上層繊維集合物から形成されており、前記下層繊維集合物からなる上方に突出した凸条部が前記凸部内の厚み方向中央部分にまで延びている実施の形態においては、凸条部が凸部の中芯の役割を果たし、凸部が凹部へ不用意に倒伏することを防ぐことができる。
【発明を実施するための最良の形態】
【００１６】
添付の図面を参照し、本発明にかかる使い捨ての体液処理物品の詳細を、開放型の使い捨ておむつと生理用ナプキンとを例として説明すると、以下のとおりである。
【００１７】
図１，２は、使い捨ておむつ１の部分破断斜視図と、図１の表面部材２の斜視図とであり、図３，４は、図１のＡ−Ａ線矢視断面図と、図１のＢ−Ｂ線矢視断面図とである。図１，２では、横方向を矢印Ｘで示し、縦方向を矢印Ｙで示す。
【００１８】
おむつ１は、肌当接側とその反対側の非肌当接側とを有し、肌当接側に位置する液透過性の表面部材２と、肌非当接側に位置する液不透過性のベースシート３と、それらの間に介在する吸液性のコア４と、実質的に液不透過性の防漏カフ５とから構成されている。コア４は、表面部材２とベースシート３との内面に接合されている。おむつ１は、縦方向に前胴周り域１４および後胴周り域１６と、それら胴周り域１４，１６の間に位置する股下域１５とを有する。
【００１９】
ベースシートは３、互いに重なり合う実質的に液不透過性の二枚の繊維不織布３ａ，３ｂから形成され、その平面形状が砂時計型を呈する。ベースシート３は、横方向へ延びる両端縁部６と縦方向へ延びる両側縁部７とを画成している。両側縁部７は、股下域１４において内方へ向かって弧を画いている。
【００２０】
両端縁部６には、横方向へ延びる帯状の胴周り用弾性部材８が伸長状態で取り付けられている。両側縁部７には、股下域１５を縦方向へ延びる複数条の脚周り用弾性部材９が伸長状態で取り付けられている。胴周り用弾性部材８と脚周り用弾性部材９とは、ベースシート３を形成する不織布３ａ，３ｂの間に介在し、それら不織布３ａ，３ｂに固着されている。
【００２１】
表面部材２は、多数の親水性繊維からなる繊維集合物１３であり、縦方向へ長い略矩形を有する。表面部材２は、カフ５の間に位置し、股下域１５を中心に前後胴周り域１４，１６へ向かって延びている。表面部材２は、コア４から上方へ隆起して横方向へ延びる複数条の凸部２ａと、凸部２ａの間に位置して横方向へ延びる複数条の凹部２ｂとを有する。凸部２ａは、縦方向へ所与寸法離間して並んでいる。
【００２２】
表面部材２では、それを形成する親水性繊維集合物の下部の繊維密度が、その上部の繊維密度よりも高くなっている。表面部材２の凹部２ｂには、表面部材２を厚み方向へ貫通する多数の開孔部２ｃが横方向へ所与寸法離間して並んでいる。
【００２３】
表面部材２では、その外面に排泄された尿や軟便、水様便等の流動性排泄物が表面部材２を透過可能かつ開孔部２ｃを通過可能である。表面部材２では、それを形成する親水性繊維集合物の下部の繊維密度が、その上部の繊維密度よりも高いので、表面部材２に滲入した排泄物が毛細管現象によって表面部材２の厚み方向上方から下方へ向かって速やかに移動する。表面部材２に滲入した排泄物は、それを透過してコア４に達して吸収、保持されるので、排泄物が表面部材２の外面に逆戻りすることはない。
【００２４】
表面部材２では、排泄物が表面部材２に滲入する前に、表面部材２の外面を拡散したとしても、表面部材２の凸部２ａが排泄物に対する障壁となるので、排泄物の縦方向への流動を防ぐことができる。また、表面部材２では、排泄物が凹部２ｂにおいて横方向へ拡散したとしても、拡散する過程で排泄物が開孔部２ｃに進入し、開孔部２ｃを通ってコア４に吸収、保持されるので、排泄物の横方向への流動を防止することができる。
【００２５】
表面部材２では、縦方向へ連なる開孔部２ｃの個数が５〜２５個、横方向へ連なる開孔部２ｃの個数が２〜１０個の範囲にあることが好ましい。また、表面部材２では、開孔部２ｃの面積が１５〜６００ｍｍ２の範囲にあることが好ましい。開孔部２ｃの面積が１５ｍｍ２未満の場合では、排泄物が開孔部２ｃを通過し難く、排泄物の横方向の拡散を防ぐことができない。開孔部２ｃの面積が６００ｍｍ２を超過すると、開孔部２ｃの個数にもよるが、表面部材２の大半を開孔部２ｃが占めることになり、表面部材２に複数条の凸部２ａを形成することが難しい。
【００２６】
おむつ１では、表面部材２の周縁の外側に排泄物が漏出することはなく、排泄物をコア４に確実に吸収、保持させることができる。また、おむつ１では、それを着用したときに、表面部材２の凸部２ａが着用者の肌に接触するので、表面部材２の外面全域が着用者の肌に接触することはなく、着用者の肌に対する表面部材２の接触面積を少なくすることができる。
【００２７】
後胴周り域１６の両側縁部７には、一対のテープファスナ１０が取り付けられている。前胴周り域１４におけるベースシート３の外面には、テープファスナ１０の止着域となるターゲットテープ１１が取り付けられている。
【００２８】
テープファスナ１０は、後胴周り域１６の両側縁部７に固着された基端部と、ターゲットテープ１１に係脱可能に止着する自由端部とを有する。テープファスナ１０の自由端部には、粘着剤（図示せず）が塗布されている。自由端部は、表面部材２の外面の側へ向かって折曲され、カフ５に仮着されている。ターゲットテープ１１は、可撓性を有するプラスチックフィルムから形成されている。
【００２９】
カフ５は、ベースシート３の両側縁部７を縦方向へ延びている。カフ５は、コア４の両側縁４ｂの外側近傍を縦方向へ延びる固定縁部５ａと、固定縁部５ａに並行して縦方向へ延びる自由縁部５ｂと、前後胴周り域１４，１６に位置しておむつ１の横方向内方へ倒伏した固定両端部５ｃとを有する。自由縁部５ｂには、縦方向へ延びる弾性部材１２が伸長状態で取り付けられている。弾性部材１２は、自由縁部５ｂの一部に被覆されている。
【００３０】
カフ５では、固定縁部５ａから横方向外方へ側縁部５ｄが延びている。カフ５は、その固定縁部５ａがベースシート３の側縁部７に固着され、その固定両端部５ｃがベースシート３の端縁部６に固着されている。
【００３１】
図１では、おむつ１が表面部材２を内側にして縦方向へ湾曲し、カフ５の自由縁部５ｂが縦方向へ収縮して自由縁部５ｂが表面部材２の上方へ起立している。おむつ１では、起立したカフ５の自由縁部５ｂが排泄物に対する障壁を形成し、股下域１５における両側縁部７からの排泄物の漏れを防ぐことができる。
【００３２】
おむつ１では、ベースシート３の端縁部６がコア４の端縁４ａから縦方向へ延び、ベースシート３の側縁部７とカフ５の側縁部５ｄとがコア４の側縁４ｂから横方向へ延びている。側縁部７と側縁部５ｄとは、それら側縁部７，５ｄの互いに重なり合う部分が固着されている。
【００３３】
おむつ１を着用するには、後胴周り域１６に位置するベースシート３の両側縁部７を前胴周り域１４に位置するベースシート３の両側縁部７の外側に重ね合わせ、テープファスナ１０の自由端部をターゲットテープ１１に止着して前後胴周り域１４，１６を連結する。前後胴周り域１４，１６が連結されたおむつ１には、胴周り開口と、脚周り開口とが画成される。
【００３４】
おむつ１では、表面部材２が後胴周り域１６を除く股下域１５と前胴周り域１４とに位置していてもよく、表面部材２が前胴周り域１４を除く股下域１５と後胴周り域１６とに位置していてもよい。また、おむつ１では、表面部材２が股下域１５を除く前胴周り域１４と後胴周り域１６との少なくとも一方に位置していてもよい。
【００３５】
【００３６】
図５，６は、生理用ナプキン２０の部分破断斜視図と、図５の表面部材２４の斜視図とであり、図７，８は、図５のＣ−Ｃ線矢視断面図と、図５のＤ−Ｄ線矢視断面図とである。図５，６では、横方向を矢印Ｘで示し、縦方向を矢印Ｙで示す。
【００３７】
ナプキン２０は、肌当接側とその反対側の非肌当接側とを有し、肌当接側に位置する液透過性シート２１と、肌非当接側に位置する液不透過性のベースシート２２と、それらシート２１，２２の間に介在する吸液性コア２３および液透過性の表面部材２４とから構成されている。コア２３は、ベースシート２３と表面部材２４との内面に接合されている。表面部材２４は、液透過性シート２１の内面に固着されている。
【００３８】
ナプキン２０は、横方向へ延びる両端縁部２５と縦方向へ延びる両側縁部２６とを有する。ナプキン２０では、液透過性シート２１とベースシート２２との端縁部２１ａ，２２ａがコア２３の端縁２３ａから縦方向へ延び、それら端縁部２１ａ，２２ａの互いに重なり合う部分が固着されている。ナプキン２０では、液透過性シート２１とベースシート２２との側縁部２１ｂ，２２ｂがコア２３の側縁２３ｂから横方向へ延び、それら側縁部２１ｂ，２２ｂの互いに重なり合う部分が固着されている。ベースシート２２の外面には、ナプキン２０をショーツの内側に貼着するための粘着剤（図示せず）が塗布されている。
【００３９】
表面部材２４は、多数の親水性繊維からなり、厚み方向へ互いに重なり合う二つの上下層繊維集合物２７，２８から形成された積層部材であって、略矩形を呈している。上層繊維集合物２７は、上方へ隆起して横方向へ延び、縦方向へ所与寸法離間して並んでいる複数条の凸部２４ａと、凸部２４ａの間に位置して横方向へ延びる複数条の凹部２４ｂとからなり、凸部２４ａの内部には、下層繊維集合物２８からなる上方に突出した凸条部２８ａがその厚み方向中央部２４ｄにまで延びている。このように、上層繊維集合物２７から形成された凸部２４ａの内部に上層繊維集合物２７よりも高密度の下層繊維物２８からなる凸条部２８ａが延びているので、凸条部２８ａが凸部２４ａの中芯の役割をして、凸部２４ａが凹部２４ｂに向かって不用意に倒伏することを防ぐことができる。
【００４０】
表面部材２４では、その厚み方向下方に位置する下層繊維集合物２８の坪量がその厚み方向上方に位置する上層繊維集合物２７のそれよりも大きく、下層繊維集合物２８の密度が上層繊維集合物２７のそれよりも高い。上層繊維集合物２７では、その坪量が２０〜２００ｇ／ｍ２の範囲にあることが好ましく、その密度が０．０００４〜０．０４ｇ／ｃｍ３の範囲にあることが好ましい。下層繊維集合物２８では、その坪量が１００〜２５０ｇ／ｍ２の範囲にあることが好ましく、その密度が０．０１〜０．２５ｇ／ｃｍ３の範囲にあることが好ましい。
【００４１】
【００４２】
表面部材２４の凸部２４ａと凹部２４ｂとには、表面部材２４を厚み方向へ貫通する多数の開孔部２４ｃが形成されている。開孔部２４ｃは、凸部２４ａと凹部２４ｂとを横方向へ所与寸法離間して並んでおり、縦方向へ隣り合う凸部２４ａでは、開孔部２４ｃが縦方向へ連なることなく縦方向へ互い違いに並んでいる。このように、開孔部２４ｃが縦方向へ連なることがないので、凸部２４ａが経血に対する障壁としての機能を失うことはなく、経血が外部へ漏出するおそれはない。
【００４３】
液透過性シート２１の外面に排泄された経血は、シート２１を透過して表面部材２４の外面に達する。表面部材２４の外面に達した経血は、表面部材２４を透過可能かつ開孔部２４ｃを通過可能であって、下層繊維集合物２８の坪量が上層繊維集合物２７のそれよりも大きく、下層繊維集合物２８の密度が上層繊維集合物２７のそれよりも高いので、表面部材２４に滲入した経血が毛細管現象によって上層繊維集合物２７から下層繊維集合物２８に向かって速やかに移動する。表面部材２４に滲入した経血は、それを透過してコア２３に達し、コア２３に吸収、保持される。
【００４４】
表面部材２４では、経血が表面部材２４に滲入する以前に、それが表面部材２４の外面を拡散したとしても、表面部材２４の凸部２４ａによって経血の縦方向への流動を防ぐことができる。また、経血が凹部２４ｂにおいて横方向へ拡散したとしても、拡散する過程で経血が開孔部２４ｃに進入し、開孔部２４ｃを通ってコア２３に吸収、保持されるので、経血の横方向への流動を防止することができる。
【００４５】
表面部材２４では、凸部２４ａに経血が排泄されたとしても、経血が凸部２４ａに形成された開孔部２４ｃを通ってコア２３に達し、コア２３に吸収、保持されるので、経血の凸部２４ａにおける拡散を防止することができる。
【００４６】
表面部材２４を形成する親水性繊維には、親水処理を施した熱可塑性合成樹脂繊維やパルプ繊維、再生繊維のいずれかまたはそれら繊維の混合物を使用することができる。熱可塑性合成樹脂繊維には、ポリオレフィン系、ポリエステル系、ポリアミド系の繊維を使用することができる。再生繊維には、レーヨンやアセテート等のセルロ−ス系繊維を使用することができる。表面部材２４では、親水性繊維からなる繊維集合物１３，２５，２６に高吸収性ポリマー粒子が混入されていてもよい。高吸収性ポリマー粒子としては、デンプン系、セルロース系、合成ポリマー系のものを使用することができる。
【００４７】
ベースシート３を形成する繊維不織布３ａ，３ｂには、疎水性繊維不織布や疎水性繊維不織布を重ね合わせた２層の不織布を使用することができる。また、ベースシート３には、液不透過性のプラスチックフィルムや疎水性繊維不織布に液不透過性のプラスチックフィルムを固着した複合シートを使用することができる。防漏カフ５には、疎水性繊維不織布を使用することができる。液透過性シート２１には、親水性繊維不織布、または、微細な多数の開孔を有するプラスチックフィルムを使用することができる。
【００４８】
ベースシート３を形成する不織布３ａ，３ｂや防漏カフ５には、高い耐水性を有するメルトブローン法による繊維不織布を、高い強度を有しかつ柔軟性に富んだスパンボンド法による繊維不織布で挟んだ複合不織布を使用することもできる。
【００４９】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維または並列型複合繊維を使用することができる。
【００５０】
コア４，２３は、フラッフパルプと高吸収性ポリマー粒子との混合物、または、フラッフパルプと高吸収性ポリマー粒子と熱可塑性合成樹脂繊維との混合物であり、所要の厚みに圧縮されている。それらコア４，２３は、その型崩れやポリマー粒子の脱落を防止するためにその全体がティッシュペーパーに被覆、接合されていることが好ましい。
【００５１】
表面部材２，２４の固着や液透過性シート２１の固着、コア４，２３の接合、防漏カフ５の固着、弾性部材の８，９，１２固着には、ホットメルト型接着剤、または、ヒートシールや超音波接合等の熱による溶着手段を使用することができる。
【００５２】
この発明は、開放型のおむつ１や生理用ナプキン２０の他に、前後胴周り域があらかじめ連結されたパンツ型のおむつやおむつカバーの内側に取り付けて使用する吸収性パッドにも実施することができる。
【図面の簡単な説明】
【００５３】
【図１】おむつの部分破断斜視図。
【図２】図１の表面部材の斜視図。
【図３】図１のＡ−Ａ線矢視断面図。
【図４】図１のＢ−Ｂ線矢視断面図。
【図５】ナプキンの部分破断斜視図。
【図６】図５の表面部材の斜視図。
【図７】図５のＣ−Ｃ線矢視断面図。
【図８】図５のＤ−Ｄ線矢視断面図。
【符号の説明】
【００５４】
１        使い捨ておむつ（使い捨ての体液処理物品）
２        液透過性表面部材
２ａ      凸部
２ｂ      凹部
２ｃ      開孔部
２ｄ      外周面
２ｅ      厚み方向中央部分
３        液不透過性ベースシート
４        吸液性コア
７        両端縁部
８        両側縁部
１３        繊維集合物
２０        生理用ナプキン
２２        液不透過性ベースシート
２３        吸液性コア
２４        液透過性表面部材
２４ａ      凸部
２４ｂ      凹部
２４ｃ      開孔部
２４ｄ      厚み方向中央部分
２５        両端縁部
２６        両側縁部
２７        上層繊維集合物
２８        下層繊維集合物
２８ａ      凸条部
【図１】
0004825149.tif 000002
【図２】
0004825149.tif 000003
【図３】
0004825149.tif 000004
【図４】
0004825149.tif 000005
【図５】
0004825149.tif 000006
【図６】
0004825149.tif 000007
【図７】
0004825149.tif 000008
【図８】
0004825149.tif 000009